(57)【要約】【課題】着物の裾や袂等を汚したり、濡らしたりする恐れなく、且つ、着物に着崩れを生じることなく、トイレで用をたすことが容易な和装用の下ばきを提供する。【解決手段】下ばき１は、腹部を被覆する前覆部２と、臀部を被覆する後覆部３と、前覆部２及び後覆部３を連結し、股部を被覆する被覆状態、及び股部を開放する開放状態に変位可能な連結部５と、前覆部２の胴周り方向に沿って設けられ、着物の裾及び袂を含む着衣の一部を掛止可能な帯状の第一掛止部１０及び第二掛止部２０とを具備する。【選択図】図１
2006322088.tif 000002
【特許請求の範囲】
【請求項１】
腹部を被覆する前覆部と、
臀部を被覆する後覆部と、
前記前覆部及び前記後覆部を連結し、股部を被覆する被覆状態、及び前記股部を開放する開放状態に変位可能な連結部と、
前記前覆部の胴周り方向に沿って設けられ、着物の裾及び袂を含む着衣の一部を掛止め可能な帯状または紐状の掛止部と
を具備することを特徴とする和装用下ばき。
【請求項２】
前記連結部は、
帯状に形成され、一方の端部が前記後覆部の下端に連結されると共に、他方の端部が前記掛止部に掛止されることを特徴とする請求項１に記載の和装用下ばき。
【請求項３】
少なくとも二つ以上の前記掛止部を有して構成され、
前記掛止部のいずれか一つは、
前記前覆部の下端近傍に前記連結部の幅と略同一の長さを有して設けられることを特徴とする請求項２に記載の和装用下ばき。
【発明の詳細な説明】
【技術分野】
【０００１】
本発明は、下ばきに関するものであり、特に、和服の着用時の使用に適する、肌着としての和装用下ばきに関するものである。
【背景技術】
【０００２】
従来から、和服の着用時に装着する下ばきとして、洋服の着用時に装着するものとは異なるタイプのものが使用されている。これは、帯や着付けのための紐類によって下ばきのウエスト部が着物の上から締付けられているために、トイレで用をたす際に下ばきを下ろすことが困難であり、無理に下ろそうとすると着物に着崩れが生じることから、下ばきを下ろすことなく用をたすことができるようにされたものである。例えば、股部を覆う部分を分離可能に形成すると共に、ホックやボタン等により連結可能としたものや、腹部から臀部にかけて股部の右側を覆う部分、及びこれと対称的に股部の左側を覆う部分を縫着せずに股部付近で一部重ね合わせ、通常はこの重なり部分によって股部が覆われ、足を開いたときに左右の部分が離隔するものが知られている。また、腰巻を筒状に形成し、その内側面の前後に両端を逢着した股布を緩く架渡し、下半身を覆って保温すると共に、下ばきの輪郭が着物表面に現れて見栄えを損なうことを防止し、股布を「横にずらす」ことにより用をたすことができる和装下着も提案されている（例えば、特許文献１）。
【０００３】
【特許文献１】実用新案登録第３０８１８９８号公報
【発明の開示】
【発明が解決しようとする課題】
【０００４】
しかしながら、従来の下ばきを使用した場合、用をたす際に着物や襦袢の裾や袂などが床等に触れないように、これらをたくし上げ、手で押さえていなければならなかった。そのため、両手を自由に使うことができず、トイレットペーパーの扱いや下ばきの操作に不自由を感じることがあった。また、裾や袂を帯や帯締めに挟み込んで掛止しようとすることにより、帯や帯締めが緩んで着崩れを生じてしまうことがあった。更に、着物の裾、着物の袂、長襦袢の裾、長襦袢の袂等を合わせると分量も多いため、これらを掛止しきれずに外れてしまうこともあった。特に、振袖などの若い女性の着用する着物は、袂も長く重量もあるため、このような傾向は大きいものであった。そして、掛止しきれずに外れてしまった裾や袂等は、トイレの床に落ちたり、便器内の水に触れたりすることにより、濡れたり汚れたりしてしまうことがあった。かかる問題は、洋服に比べて洗濯が容易ではない着物の場合、極めて深刻なものであった。
【０００５】
そこで、本発明は、上記実情に鑑み、着物の裾や袂等を汚したり、濡らしたりする恐れなく、且つ、着物に着崩れを生じることなく、トイレで用をたすことが容易な和装用の下ばきを提供することを課題とするものである。
【課題を解決するための手段】
【０００６】
上記の課題を解決するため、本発明にかかる和装用下ばきは、「腹部を被覆する前覆部と、臀部を被覆する後覆部と、前記前覆部及び前記後覆部を連結し、股部を被覆する被覆状態、及び前記股部を開放する開放状態に変位可能な連結部と、前記前覆部の胴周り方向に沿って設けられ、着物の裾及び袂を含む着衣の一部を掛止め可能な帯状または紐状の掛止部とを」主に具備して構成されている。
【０００７】
ここで、前覆部は、綿糸や化学繊維の紡織による布や不職布等により一体的に形成されるものであっても、複数の部分を縫着等して形成されるものであってもよい。これは、後覆部、及び連結部についても同様である。また、前覆部、後覆部、及び連結部は、夫々が別体で形成される場合に限定されず、いずれか二つの部分が一体的に形成されるものであってもよく、例えば、後覆部及び連結部が一体的に形成されるものとすることができる。更に、各部の連結は、縫着等により固着されるものであっても、面ファスナー等の部材によって脱着可能に連結されるものであってもよい。
【０００８】
また、連結部の構成は、被覆状態及び開放状態に変位可能であれば特に限定されず、連結部が途中で分断されて開放可能となると共に、分断された部分をホックやボタン等を使用して連結することにより被覆状態とできるものや、腹部から臀部にかけて股部の右側を覆う部分及びこれと対称的に股部の左側を覆う部分を縫着せずに股部付近で一部重ね合わせ、通常はこの重なり部分によって股部が覆われて被覆状態となり、足を開いたときに左右を覆う夫々の部分が離隔して開放状態となるものを例示することができる。
【０００９】
更に、掛止部は、帯状または紐状に形成され、その長手方向が使用者の胴周り方向に略一致するように、その両端が前覆部の外表面に縫着、接着等されている。そして、この掛止部と前覆部との間に着物の裾や袂等を挟み込むことができる。また、着物だけでなく、襦袢の裾や袂、和装用スリップの裾等も挟み込むことができる。なお、ゴム等の弾性を有する素材で掛止部を形成すれば、裾や袂等が前覆部との間にしっかりと挟持され、且つ、掛止部が使用者の腹部にフィットしやすいため好適である。なお、掛止部の長さや幅は適宜設定することができる。
【００１０】
従って、本発明の和装用下ばきによれば、連結部が被覆状態及び開放状態に変位可能であることにより、通常時においては使用者の股部が被覆された状態とし、トイレでは下ばきを下ろすことなく連結部を開放状態として用をたすことが可能となる。そして、その際に、たくしあげた着物の裾や袂等を掛止部に引き掛け、前覆部の外表面との間に挟み込むことにより掛止することができる。これにより、着物の裾や袂等の着衣の一部を、床や便器内の水等で汚したり濡らしたりする恐れなく、用をたすことが可能となる。また、裾や袂等を帯や帯締めに挟み込む必要がないため、着物に着崩れを生じる恐れのないものとなる。更に、裾や袂を手で押さえている必要がないため、両手が自由に使えることとなり、トイレットペーパの扱い等が容易なものとなる。
【００１１】
また、本発明にかかる和装用下ばきは、上記構成に加え、「前記連結部は、帯状に形成され、一方の端部が前記後覆部の下端に連結されると共に、他方の端部が前記掛止部に掛止される」ものとすることができる。
【００１２】
ここで、連結部は、帯状に形成した部材の一端を後覆部の下端に縫着等したもの、後覆部の下端を延設して帯状に形成したものを例示することができる。また、掛止部は、連結部の後覆部に連結されない方の端部を引き掛けて掛止させることができ、連結部が開放状態にあるときは、連結部の端部を掛止するために使用されていないため、ここに着物の裾や袂等を掛止することができる。
【００１３】
従って、本発明の和装用下ばきによれば、帯状の連結部の一端が後覆部に連結されており、他方の端部を掛止部に引き掛けて掛止することにより、後覆部の下端から前覆部にかけて連結部が架渡され、股部が連結部に被覆された状態となる。このとき、掛止部に引き掛ける部分の長さを調整することにより、架渡される部分の連結部の長さを調整することができ、下ばきが使用者の体格に合致したものとなる。また、帯状の掛止部によって連結部を前覆部に連結できるため、分断された連結部をホックやボタン等によって連結する従来の下ばきのように、ホック等が立居振舞いの際に身体に当接して違和感や痛みを感じるような恐れがなく使用できるものとなる。加えて、通常時は連結部によって股部が完全に被覆されることとなる。このため、股部において左右の部分を逢着せずに一部重ね合わせ、通常時においても半ば開放状態である従来の下ばきのように、不衛生となったり使用者が寒さを感じたりする恐れがなく使用できるものとなる。一方、連結部の端部が掛止部から外されているときは、前覆部下端から後覆部下端にかけて、股部を覆う部材は何もないこととなる。これにより、用をたす際に、下ばきが排泄物により汚染される恐れのないものとなる。
【００１４】
更に、本発明にかかる和装用下ばきは、上記構成に加え、「少なくとも二つ以上の前記掛止部を有して構成され、前記掛止部のいずれか一つは、前記前覆部の下端近傍に前記連結部の幅と略同一の長さを有して設けられる」ものとすることができる。
【００１５】
すなわち、掛止部は複数設けることができる。また、複数の掛止部のうちの一つを前覆部の下端近傍に設け、この長さを連結部の幅に対応させたものとすることができる。これにより、この掛止部に連結部の端部を掛止させた際に、連結部がずれたり、しわになったりする恐れのないものとなる。
【００１６】
従って、本発明の和装用下ばきによれば、複数の掛止部を設けることにより、裾や袂等を掛止可能な部分が増加することとなる。また、前覆部の下端近傍に、連結部の幅に対応した長さを有する掛止部を設けることにより、この掛止部が被覆状態において連結部を掛止するために適したものとなる。そして、他の掛止部は、主に着物の裾や袂等を掛止するために使用することができる。
【発明の効果】
【００１７】
以上のように、本発明の和装用下ばきによれば、たくしあげた着物の裾や袂等を掛止することが可能となり、裾や袂を汚したり、濡らしたりする恐れなく、且つ、着物に着崩れを生じることなくトイレで用をたすことが容易となる。
【発明を実施するための最良の形態】
【００１８】
以下、本発明の一実施形態である和装用下ばきについて、図１及び図２に基づいて説明する。ここで、図１は本実施形態の和装用下ばき（以下、「下ばき」という）が開放状態にあるときの説明図であり、図２は図１の下ばきが被覆状態にあるときの説明図である。
【００１９】
本実施形態の下ばき１は、図１及び図２に示されるように、腹部を被覆する前覆部２と、臀部を被覆する後覆部３と、前覆部２及び後覆部３を連結する連結部５と、着物の裾を含む着衣の一部を掛止可能な二つの掛止部１０，２０とを主に具備して構成されている。
【００２０】
更に詳しく説明すると、連結部５は、綿布を使用して略長方形の帯状に形成され、一方の端部５ａが後覆部３の下端３ａに縫着されている。連結部５の他方の端部には、その先端５ｂを裏面側に折り返した上で縫着して連結端部６が形成され、連結端部６を折り返した際に、綿布の裏面が外側に現れないようにされている。また、連結部５の裏面の連結端部６を除いた部分から後覆部３の裏面の下部にかけて、ガーゼを使用した裏布７が縫着され、肌触りの良いものとされている。また、前覆部２及び後覆部３は共に綿布が使用され、夫々の左端及び右端を逢着することにより、使用者の胴体を挿通可能な環２６が形成されている。このとき、前覆部２及び後覆部３の夫々において、その上部に、伸縮性に富んだ素材の布を縫着したウエスト部４が形成されている。このような素材でウエスト部４を形成することにより、使用者のウエスト付近が伸縮性に富んだ布で被覆され、下ばき１が身体にフィットしやすいものとなる。これと共に、ウエスト部にゴム紐を通している通常の下ばきのように、帯による締付けによって身体にゴム紐の跡がつくことのないものとなる。もちろん、通常の下ばきのように、ウエスト部４の上端を筒状に形成し、ゴム紐等を挿通するものとしても構わない。
【００２１】
また、二つの掛止部（第一掛止部１０及び第二掛止部２０）は、共に帯状に形成され、その長手方向が下ばき１の使用者の胴周り方向と略一致するように、夫々の両端が前覆部２の外表面に縫着されている。ここで、第一掛止部１０は比較的幅広のゴム製バンドで形成され、前覆部２の右端付近から左端付近に至るように設けられている。一方、第二掛止部２０は、前覆部２の下端近傍に設けられ、連結端部６の幅Ｗと略同一の長さに形成されている。また、第二掛止部２０の外側表面、及び連結端部６には夫々面ファスナー２５ａ，２５ｂが取付けられている。なお、本実施形態では、第二掛止部２０は、連結部５等と同様に綿布で形成されているが、第一掛止部１０のようにゴム製のバンドを使用してももちろん構わない。
【００２２】
次に、本実施形態の下ばき１の使用方法について、図１及び図２を用いて説明する。まず、図１に示されるように、連結部５が展開されている状態から、図２（ａ）に示されるように、第二掛止部２０と前覆部２と間に形成される間隙に連結端部６を下から挿通することにより、前覆部２及び後覆部３が連結部５によって連結され、右脚を挿通可能な右脚挿通口８、及び左脚を挿通可能な左脚挿通口９が形成される。このとき、第二掛止部２０の長さが連結部５の幅Ｗに比べて長い場合は、第二掛止部２０に挿通した連結端部６の位置がずれやすくなり、逆に、第二掛止部２０の長さが連結部５の幅Ｗより短い場合は、連結端部６がしわになって着物の表面にも影響し、見栄えや使用感の悪いものとなる。しかしながら、本実施形態の下ばき１では、第二掛止部２０の長さが連結部５の幅Ｗと略同一であるため、かかる問題を生じることなく使用することができる。
【００２３】
そして、図２（ｂ）に示されるように、第二掛止部２０に挿通された連結端部６の先端を、前方（図２（ｂ）における紙面手前方向に相当）に向かって折り返すことにより、連結端部６が第二掛止部２０に掛止され、その状態が保持される。このとき、第二掛止部２０に取付けられた面ファスナー２５ａ及び連結端部６に取付けられた面ファスナー２５ｂを係合させることにより、第二掛止部２０による連結端部６の保持状態がより安定する。ここで、面ファスナー２５ｂの連結端部６への取付け位置は、連結端部６を折り返したときに第二掛止部２０の面ファスナー２５ａと対向する位置になるよう、使用者の体格の違いに応じて設定することができる。
【００２４】
本実施形態の下ばき１を装着する際には、図１のように連結部５を展開した状態で、前覆部２及び後覆部３によって形成される環２６に使用者の胴体を通し、その後に連結部５を背面から両脚の間を通して前方に回し、図２（ａ）及び図２（ｂ）に示されるように第二掛止部２０に連結端部６を掛止させてもよいし、下ばき１を予め図２（ｂ）に示されるような状態にした上で、右脚挿通口８、及び左脚挿通口９に夫々の脚を通し、その後に連結端部６の掛止位置を調整するように装着してもよい。そして、下ばき１を装着した後に、着物を着用する。本実施形態の下ばき１は、用をたす際に下ろす必要がないため、はき込みが帯位置より浅くなるように加減する必要がなく、下ばき１のウエスト部４の上に着付け紐や帯をしっかりと締めることができる。
【００２５】
そして、着物の着用時にトイレで用をたす際には、面ファスナー２５ａ，２５ｂの係合を解いて連結端部６を第二掛止部２０から外し、連結部５によって股部が被覆されない開放状態とする。このとき、たくしあげた着物や襦袢の裾、袂等の部分は、第一掛止部１０及び第二掛止部２０に引き掛け、前覆部２との間に挟み込んで掛止することができる。また、第二掛止部２０から外した連結端部６は、後方から右腰または左腰を経由して前方に回し、第一掛止部１０または第二掛止部２０に引き掛けて掛止することとしてもよい。
【００２６】
上記に説明したように、本実施形態の下ばき１によれば、第一掛止部１０及び第二掛止部２０に着衣の一部を掛止することができるため、用をたす際に着物の裾や袂等がトイレの床や便器内の水に触れる恐れのないものとなり、着物が汚れたり、濡れたりすることを防止することが可能となる。また、手で裾や袂等を押さえている必要がないため、両手を自由に使うことができ、トイレットペーパの扱い等が容易なものとなる。また、裾や袂等を帯や帯締めに挟み込む必要がないため、着物に着崩れを生じる恐れなく用をたすことが容易なものとなる。また、二つの掛止部１０，２０を有することにより、着衣の一部を掛止可能な部分が増加し、裾や袂等を確実に掛止することができる。また、掛止部の一つ（第二掛止部２０）の長さや位置を連結部の掛止のために適した設定とすることで、より使い勝手のよいものとなる。
【００２７】
加えて、連結部５を帯状に形成し、連結端部６を第二掛止部２０に掛止させることにより、後覆部３の下端から前覆部２にかけて連結部５が架渡され、股部が連結部５に被覆された状態となるため、ホック等を使用した従来の下ばきのように、使用に際して痛みや違和感を感ずることなく使用できるものとなる。加えて、通常時は連結部５によって股部が完全に被覆されているため、通常時において半ば開放状態である従来の下ばきのように、不衛生となったり使用者が寒さを感じたりする恐れがなく使用できるものとなる。更に、用をたす際には、連結端部６を第二掛止部２０から外すことにより、前覆部３の下端から後覆部３の下端にかけて股部を覆う部材が何もない状態となるため、下ばき１が排泄物により汚染される恐れなく用をたすことができる。
【００２８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００２９】
例えば、本実施形態では掛止部を二つ設けているが、一つでもよく、また三つ以上設けることもできる。また、本実施形態では第二掛止部の外側表面、及び連結端部に面ファスナーを取付けているが、連結端部の面ファスナーを複数設けたり、連結部の長手方向に面ファスナーの長手方向を一致させて設けたりすることも可能である。これにより、第二掛止部における連結部の掛止位置が調整可能なものとなり、股部を被覆するために使用される連結部の長さを、使用者の体格等に合わせて、使用者自身が調整することが可能となる。また、このような面ファスナーを設けず、第二掛止部に挿通させた連結端部を折り返すのみで掛止するものとすることもできる。このとき、第二掛止部をゴム製バンドのような弾性部材で形成すれば、連結部の掛止状態をより安定させることができる。
【００３０】
また、本実施形態では着物を着用した場合を例として説明したが、これに限定されず、例えば、和服タイプの寝巻きを着用した場合にも、本発明の和装用下ばきを使用することができる。すなわち、下ばきを下ろす必要がなく、寝巻きの裾等を掛止部に掛止させてトイレで用をたすことができるため、病人や高齢者にとっても便利なものとなる。なお、従来の和装用下ばきは女性用とされているものが主であるが、本発明の和装用下ばきは女性用に限定されず、もちろん男性も使用することができる。
【図面の簡単な説明】
【００３１】
【図１】本実施形態の下ばきが開放状態にあるときの説明図である。
【図２】図１の下ばきが被覆状態にあるときの説明図である。
【符号の説明】
【００３２】
１  下ばき（和装用下ばき）
２  前覆部
３  後覆部
５  連結部
１０  第一掛止部（掛止部）
２０  第二掛止部（掛止部）
【図１】
2006322088.tif 000003
【図２】
2006322088.tif 000004